(57)【要約】【課題】グリップ２を指で保持して筆記した時、指が前方や後方に移動することなくしっかり保持して筆記が行えるとともに、長時間筆記を行っても親指と人差し指の間の指間部にマメが発生したり痛みを感じる恐れがない筆記具に適用できる。【解決手段】軸筒を構成する胴３の把持部３Ａにグリップ２を設けるとともに、胴３の把持部３Ａ後方に位置する鞘４に指間受部材６を設ける。更に、前記グリップ２を高反発部材で構成し、かつ、指間受部材６を低反発部材で構成する。【選択図】図１
2012158138.tif 000002
【特許請求の範囲】
【請求項１】
軸筒の把持部にグリップを設けるとともに、軸筒の把持部後方に指間受部材を設け、前記グリップを高反発部材で構成し、かつ、指間受部材を低反発部材で構成したことを特徴とする筆記具。
【請求項２】
指間受部材を、低反発部材で構成した内皮の上に高反発部材で構成した外皮を被せて構成したことを特徴とする請求項１記載の筆記具。
【発明の詳細な説明】
【技術分野】
【０００１】
本発明は、軸筒にグリップと指間受部材を設けた筆記具に関するものである。
【背景技術】
【０００２】
従来、筆記軸の表面が軟質弾性材料と硬質材料とで構成される筆記具において、少なくとも、筆記軸を把持した筆記者の親指と人差し指との指間に当接する部分となる筆記軸の指間支持部位が軟質弾性材料で構成された筆記具が知られている。（特許文献１参照）
【０００３】
しかしながら、上記筆記具は、軟質弾性材料が、シリコンゴム、オレフィン系エラストマー、塩ビ系エラストマー、スチレン系エラストマー等の熱可塑性エラストマーで構成され、この軟質弾性材料からなる軟質部と硬質部を二色成形のような手法により一度に成形を行って筆記軸を構成していた。したがって、把持部や指間支持部位の滑り止め効果は得られるが、十分な柔らかさを有した弾力は得られにくく、指間支持部位をより柔らかく構成することができなかった。
【先行技術文献】
【特許文献】
【０００４】
【特許文献１】特開２０００−７１６７４号公報
【発明の概要】
【発明が解決しようとする課題】
【０００５】
解決しようとする問題点は、指間部にマメが出来たり痛みを感じて長時間筆記しにくい点である。
【課題を解決するための手段】
【０００６】
本発明は、軸筒の把持部にグリップを設けるとともに、軸筒の把持部後方に指間受部材を設け、前記グリップを高反発部材で構成し、かつ、指間受部材を低反発部材で構成したことを最も主要な特徴とする。
【発明の効果】
【０００７】
本発明は、グリップが高反発部材のためしっかり指で保持して筆記が行え、更に、指間受部材は低反発部材のため柔らかな感触で手の指間部に接触し、筆記具の動きをスムーズにするとともに手の指間部にマメが発生する恐れがないという利点が得られるものである。
【図面の簡単な説明】
【０００８】
【図１】図１は、本発明の実施例１の筆記具を示す断面図である。（実施例１）
【図２】図２は、図１の筆記具を示す正面図である。（実施例１）
【図３】図３は、本発明の実施例２の筆記具を示す断面図である。（実施例２）
【図４】図４は、本発明の実施例３の筆記具を示す断面図である。（実施例３）
【発明を実施するための形態】
【０００９】
グリップを指でしっかり保持でき、かつ、手の指間部は指間受部材に柔らかい感触で接触して筆記を行える筆記具を実現した。
【実施例１】
【００１０】
以下、図１及び図２に基づいて本発明における実施例１の筆記具をノック式シャープペンシルで説明する。また、図１の左側を前方とし、右側を後方とする。先ず、反発弾性率２５程度のシリコンゴム又は発泡ウレタンで内グリップ１を構成し、この内グリップ１の筒部１Ａに周方向と長手方向にそれぞれ４ｍｍ〜６ｍｍ程度の等間隔で外径２．５ｍｍ程度の円形状の貫通孔１Ｂを複数形成する。また、グリップ２は透明性を有する反発弾性率５０程度のシリコンゴム等の高反発部材で構成する。このグリップ２は、先端部２Ａを隆起した曲面で太径に構成し、中央部２Ｂは凹陥した曲面で細径に構成し、後部２Ｃは隆起した曲面で太径に構成する。
【００１１】
また、胴３の把持部３Ａは細径に形成され、この把持部３Ａより長手方向後方に段部３Ｂを形成するとともに、段部３Ｂの後方に太径部３Ｃを構成する。この胴３の把持部３Ａに内グリップ１を外嵌し、更に、内グリップ１及び胴３の段部３Ｂにグリップ２を外嵌する。更に、胴３とグリップ２により内グリップ１の貫通孔１Ｂを密閉する。
【００１２】
更に、鞘４にクリップ５を一体に構成し、かつ、鞘４の前部４Ａに比べて後部４Ｂを太径に構成する。この鞘４の前部４Ａは、クリップ５側の正面から背面及び後方に向かって傾斜し、正面に比べて背面が後方に伸びて構成される。
【００１３】
この鞘４の前部４Ａに指間受部材６を外嵌する。この指間受部材６は低反発部材で構成され、反発弾性率３程度の発泡ウレタンで構成する。この指間受部材６は、鞘４の前部４Ａと同様に正面から背面及び後方に向かって傾斜し、正面に比べて背面が後方に伸びて構成される。
【００１４】
次に、前記胴３と鞘４を着脱可能に螺合して軸筒を構成し、胴３の後端と鞘４の太径の後部４Ｂにより指間受部材６を挾持する。
【００１５】
ノック式シャープペンシルの機構部は、チャック７と、チャック７の頭部７Ａに外嵌される締具８と、チャック７の後部７Ｂに固着される芯タンク９と、締具８を受け止めるワッシャー１０と、ワッシャー１０と芯タンク９の間に取り付けられるスプリング１１とにより構成される。
【００１６】
前記胴３の前方よりノック式シャープペンシルの機構部を挿入した後、胴３に先部材１２を螺合し、先部材１２の内段１２Ａと胴３の前端でワッシャー１０を挾持する。また、先部材１２の後端と胴３の段部３Ｂとにより内グリップ１を挾持するとともに、先部材１２の後端と胴３の太径部３Ｃ前端とによりグリップ２を挾持する。
【００１７】
前記芯タンク９の後部には消しゴム支え１３が圧入固着され、この消しゴム支え１３に消しゴム１４を取り付けるとともに、消しゴム１４を覆うノブ１５を着脱可能に嵌合し、ノック式シャープペンシルからなる筆記具を構成する。
【００１８】
前記ノック式シャープペンシルで筆記を行うと、グリップ２の隆起した先端部２Ａで人差し指と中指の前方へのずれを防止し、かつ、グリップ２の隆起した後部２Ｃで親指の後方への移動を防止し、指でグリップ２をしっかり保持して筆記を行うことができる。しかも、親指と人差し指の間の指間部に指間受部材６が接触されて筆記を行うが、この時、指間受部材６は非常に柔らかい低反発部材で構成されているので、指の指間部と指間受部材６の反発が少なく保持力が分散してしっかり保持することができ、筆記し易いとともに疲労しにくくなる。また、長時間筆記を行っても指間部にマメが発生する恐れは全く生じない。
【実施例２】
【００１９】
以下、図３に基づいて本発明における実施例２の筆記具を説明する。尚、図１と同一部材は同一の符号を付してその説明を省略する。鞘４の前部に指間受部材１０６を外嵌する。この指間受部材１０６は、外皮１０６Ａと内皮１０６Ｂの二層構造とし、外皮１０６Ａを反発弾性率２５程度の高反発部材であるシリコンで構成し、必要により更に潤滑コートを施す。また、内皮１０６Ｂは反発弾性率３程度の低反発部材である発泡ウレタンで構成する。したがって、外皮１０６Ａと内皮１０６Ｂからなる指間受部材１０６は全体として低反発部材を構成する。
【実施例３】
【００２０】
以下、図４に基づいて本発明における実施例３の筆記具を説明する。尚、図１と同一部材は同一の符号を付してその説明を省略する。後部にクリップ１０５を一体に構成した軸筒１６の把持部１６Ａを細径に形成し、この把持部１６Ａより長手方向後方に段部１６Ｂを形成する。更に、軸筒１６の段部１６Ｂから後方に伸びた中間部１６Ｃを形成し、この中間部１６Ｃの後段１６Ｄは、クリップ１０５側の正面から背面及び後方に向かって傾斜し、正面に比べて背面が後方に伸びて構成する。
【００２１】
この軸筒１６の中間部１６Ｃに指間受部材２０６を外嵌する。この指間受部材２０６は低反発部材で構成され、反発弾性率３程度の発泡ウレタン等で構成する。更に、指間受部材２０６は、軸筒１６の中間部１６Ｃの後段１６Ｄと同様に正面から背面及び後方に向かって傾斜し、正面に比べて背面が後方に伸びて構成される。
【００２２】
更に、軸筒１６の把持部１６Ａに内グリップ１を外嵌し、この内グリップ１及び軸筒１６の中間部１６Ｃの前部にグリップ２を外嵌する。
【００２３】
更に、前記軸筒１６の前方よりノック式シャープペンシルの機構部を挿入した後、軸筒１６に先部材１２を螺合する。この先部材１２の後端と軸筒１６の段部１６Ｂにより内グリップ１を挾持するとともに、先部材１２の後端と軸筒１６の中間部１６Ｃの後段１６Ｄによりグリップ２及び指間受部材２０６を挾持する。尚、図示していないが、グリップ２と指間受部材２０６との間に金属製又は合成樹脂製のリングを取り付けても良い。
【００２４】
尚、本発明の筆記具は、ノック式シャープペンシルに限定されるものではなく、ボールペン等種々の筆記具に利用できるものである。
【００２５】
また、必ずしもグリップの内側に内グリップを設ける必要はなく、内グリップはなくても良い。更に、グリップは、先端部と中央部及び後部を同径に構成しても良い。更にまた、クリップを鞘あるいは軸筒に固着して一体に構成することも可能である。更にまた、指間受部材は軸筒の表面より適宜曲面状に隆起して形成したり、指間受部材の指間部と当接される部分をやや凹陥して形成することも可能である。
【産業上の利用可能性】
【００２６】
グリップを保持する指が前方や後方に移動することなくしっかり保持して筆記できるとともに、長時間筆記を行っても指間部にマメが発生せず、疲労しにくい筆記具に適用できる。
【符号の説明】
【００２７】
２    グリップ
６    指間受部材
１６    軸筒
１６Ａ    軸筒１６の把持部
１０６    指間受部材
１０６Ａ    指間受部材１０６の外皮
１０６Ｂ    指間受部材１０６の内皮
２０６    指間受部材
【図１】
2012158138.tif 000003
【図２】
2012158138.tif 000004
【図３】
2012158138.tif 000005
【図４】
2012158138.tif 000006